(57)【特許請求の範囲】
【請求項１】
ハイブリッド自動再送要求(ＨＡＲＱ)方式をサポートする通信システムにおける基地局が信号を送受信する方法であって、
予め定められているダウンリングサブフレームにおける基本セル(Ｐｃｅｌｌ)で物理ダウンリンク制御チャンネル(ＰＤＣＣＨ)における制御情報を送信するステップと、
前記制御情報に基づいて補助セル(Ｓｃｅｌｌ)で割り当てられた第１のアップリンクサブフレームで物理アップリンク共有チャンネル（ＰＵＳＣＨ）におけるデータを受信するステップと、を含み、
前記ＰＤＣＣＨにおける前記予め定められているダウンリンクフレームは、前記第１のアップリンクサブフレームと同一の時間位置に位置する基本セルにおけるサブフレームのタイプと、前記基本セル及び補助セルの各々に適用されているアップリンク／ダウンリンク構成のうち一つに基づいて決定され、前記基本セルで適用されたアップリンク／ダウンリンク構成は、前記補助セルで適用されたアップリンク／ダウンリンク構成と相異することを特徴とする方法。
【請求項２】
前記基本セルにおける前記サブフレームのタイプがアップリンクサブフレームである場合、前記ＰＤＣＣＨにおける前記予め定められているダウンリンクサブフレームは、前記基本セルにおける前記アップリンクサブフレームのスケジューリングのために割り当てられるダウンリンクサブフレームであることを特徴とする請求項１に記載の方法。
【請求項３】
前記補助セルにおける前記サブフレームのタイプがダウンリンクサブフレームである場合、前記ＰＤＣＣＨにおける前記予め定められているダウンリンクサブフレームは、前記基本セルと前記補助セルの各々で適用されたアップリンク／ダウンリンク構成に基づいて、前記基本セルで割り当てられたアップリンクサブフレームのうちで決定されることを特徴とする請求項１に記載の方法。
【請求項４】
予め定められているダウンリンクサブフレームにおける前記基本セルで、物理ＨＡＲＱインジケータチャンネル（ＰＨＩＣＨ）に対する指示情報を送信するステップと、
前記送信された指示情報に基づいて前記補助セルで割り当てられる第２のアップリンクサブフレームで前記ＰＵＳＣＨにおける前記データを受信するステップと、をさらに含み、
前記ＰＨＩＣＨにおける前記予め定められているダウンリンクサブフレームは、前記第２のアップリンクサブフレームと同一の時間位置に位置する前記基本セルにおけるサブフレームのタイプと、前記基本セルと前記補助セルの各々で適用されるアップリンク／ダウンリンク構成のうち少なくとも一つに基づいて決定され、前記基本セルで適用されるアップリンク／ダウンリンク構成は、前記補助セルで適用されるアップリンク／ダウンリンク構成と相異することを特徴とする請求項１に記載の方法。
【請求項５】
前記基本セルにおける前記サブフレームのタイプがアップリンクサブフレームである場合、前記ＰＨＩＣＨにおける前記予め定められているサブフレームは、前記基本セルにおける前記アップリンクサブフレームのスケジューリングのために割り当てられるダウンリンクサブフレームであることを特徴とする請求項４に記載の方法。
【請求項６】
前記基本セルにおける前記サブフレームのタイプがダウンリンクサブフレームである場合、前記ＰＨＩＣＨにおける前記予め定められているダウンリンクサブフレームは、前記基本セルと前記補助セルの各々で適用されたアップリンク／ダウンリンク構成に基づいて前記基本セルで割り当てられた複数のアップリンクサブフレームのうちで決定されることを特徴とする請求項４に記載の方法。
【請求項７】
ハイブリッド自動再送要求（ＨＡＲＱ）方式をサポートする通信システムにおけるユーザー端末（ＵＥ）が信号を送受信する方法であって、
予め定められているダウンリンクサブフレームにおける基本セル（Ｐｃｅｌｌ）で、物理ダウンリンク制御チャンネル（ＰＤＣＣＨ）における制御情報を受信するステップと、
前記受信された制御情報に基づいて、補助セル（Ｓｃｅｌｌ）で割り当てられる第１のアップリンクサブフレームにおける物理アップリンク共有チャンネル（ＰＵＳＣＨ）におけるデータを送信するステップと、を含み、
前記ＰＤＣＣＨにおける前記予め定められているダウンリンクフレームは、前記第１のアップリンクサブフレームと同一の時間位置に位置する基本セルにおけるサブフレームのタイプと、前記基本セル及び補助セルの各々に適用されているアップリンク／ダウンリンク構成のうち一つに基づいて決定され、前記基本セルで適用されたアップリンク／ダウンリンク構成は、前記補助セルで適用されたアップリンク／ダウンリンク構成と相異することを特徴とする方法。
【請求項８】
前記基本セルにおける前記サブフレームのタイプがアップリンクサブフレームである場合、前記ＰＤＣＣＨにおける前記予め定められているダウンリンクサブフレームは、前記基本セルにおける前記アップリンクサブフレームのスケジューリングのために割り当てられるダウンリンクサブフレームであることを特徴とする請求項７に記載の方法。
【請求項９】
前記補助セルにおける前記サブフレームのタイプがダウンリンクサブフレームである場合、前記ＰＤＣＣＨにおける前記予め定められているダウンリンクサブフレームは、前記基本セルと前記補助セルの各々で適用されたアップリンク／ダウンリンク構成に基づいて、前記基本セルで割り当てられたアップリンクサブフレームのうちで決定されることを特徴とする請求項７に記載の方法。
【請求項１０】
予め定められているダウンリンクサブフレームにおける前記基本セルで物理ＨＡＲＱインジケータチャンネル（ＰＨＩＣＨ）に対する指示情報を受信するステップと、
前記受信された指示情報に基づいて、前記補助セルで割り当てられる第２のアップリンクサブフレームで前記ＰＵＳＣＨにおける前記データを再送信するステップと、をさらに含み、
前記ＰＨＩＣＨにおける前記予め定められているダウンリンクサブフレームは、前記第２のアップリンクサブフレームと同一の時間位置に位置する前記基本セルにおけるサブフレームのタイプと、前記基本セルと前記補助セルの各々で適用されるアップリンク／ダウンリンク構成のうち少なくとも一つに基づいて決定され、前記基本セルで適用されるアップリンク／ダウンリンク構成は、前記補助セルで適用されるアップリンク／ダウンリンク構成と相異することを特徴とする請求項７に記載の方法。
【請求項１１】
前記基本セルにおける前記サブフレームのタイプがアップリンクサブフレームである場合、前記ＰＨＩＣＨにおける前記予め定められているサブフレームは、前記基本セルにおける前記アップリンクサブフレームのスケジューリングのために割り当てられるダウンリンクサブフレームであることを特徴とする請求項１０に記載の方法。
【請求項１２】
前記基本セルにおける前記サブフレームのタイプがダウンリンクサブフレームである場合、前記ＰＨＩＣＨにおける前記予め定められているダウンリンクサブフレームは、前記基本セルと前記補助セルの各々で適用されたアップリンク／ダウンリンク構成に基づいて、前記基本セルで割り当てられた複数のアップリンクサブフレームのうちで決定されることを特徴とする請求項１０に記載の方法。
【請求項１３】
ハイブリッド自動再送要求（ＨＡＲＱ）方式をサポートする通信システムにおけるユーザー端末（ＵＥ）であって、
予め定められているダウンリンクサブフレームにおける基本セル（Ｐｃｅｌｌ）で物理ダウンリンク制御チャンネル（ＰＤＣＣＨ）における制御情報を受信する受信部と、
前記受信された制御情報に基づいて補助セル（Ｓｃｅｌｌ）で割り当てられる第１のアップリンクサブフレームで物理アップリンク共有チャンネル（ＰＵＳＣＨ）におけるデータを送信する送信部と、を含み、
前記ＰＤＣＣＨにおける前記予め定められているダウンリンクフレームは、前記第１のアップリンクサブフレームと同一の時間位置に位置する基本セルにおけるサブフレームのタイプと、前記基本セル及び補助セルの各々に適用されているアップリンク／ダウンリンク構成のうち一つに基づいて決定され、前記基本セルで適用されたアップリンク／ダウンリンク構成は、前記補助セルで適用されたアップリンク／ダウンリンク構成と相異することを特徴とするユーザー端末。
【請求項１４】
前記基本セルにおける前記サブフレームのタイプがアップリンクサブフレームである場合、前記ＰＤＣＣＨにおける前記予め定められているダウンリンクサブフレームは、前記基本セルにおける前記アップリンクサブフレームのスケジューリングのために割り当てられるダウンリンクサブフレームであることを特徴とする請求項１３に記載のユーザー端末。
【請求項１５】
前記補助セルにおける前記サブフレームのタイプがダウンリンクサブフレームである場合、前記ＰＤＣＣＨにおける前記予め定められているダウンリンクサブフレームは、前記基本セルと前記補助セルの各々で適用されたアップリンク／ダウンリンク構成に基づいて、前記基本セルで割り当てられたアップリンクサブフレームのうちで決定されることを特徴とする請求項１３に記載のユーザー端末。
【請求項１６】
前記受信部は、予め定められているダウンリンクサブフレームにおける前記基本セルで物理ＨＡＲＱインジケータチャンネル（ＰＨＩＣＨ）に対する指示情報を受信し、
前記送信部は、前記受信された指示情報に基づいて前記補助セルで割り当てられる第２のアップリンクサブフレームで前記ＰＵＳＣＨにおける前記データを再送信し、
前記ＰＨＩＣＨにおける前記予め定められているダウンリンクサブフレームは、前記第２のアップリンクサブフレームと同一の時間位置に位置する前記基本セルにおけるサブフレームのタイプと、前記基本セルと前記補助セルの各々で適用されるアップリンク／ダウンリンク構成のうち少なくとも一つに基づいて決定され、前記基本セルで適用されるアップリンク／ダウンリンク構成は、前記補助セルで適用されるアップリンク／ダウンリンク構成と相異することを特徴とする請求項１３に記載のユーザー端末。
【請求項１７】
前記基本セルにおける前記サブフレームのタイプがアップリンクサブフレームである場合、前記ＰＨＩＣＨにおける前記予め定められているサブフレームは、前記基本セルにおける前記アップリンクサブフレームのスケジューリングのために割り当てられるダウンリンクサブフレームであることを特徴とする請求項１６に記載のユーザー端末。
【請求項１８】
前記基本セルにおける前記サブフレームのタイプがダウンリンクサブフレームである場合、前記ＰＨＩＣＨにおける前記予め定められているダウンリンクサブフレームは、前記基本セルと前記補助セルの各々で適用されたアップリンク／ダウンリンク構成に基づいて前記基本セルで割り当てられた複数のアップリンクサブフレームのうちで決定されることを特徴とする請求項１６に記載のユーザー端末。
【請求項１９】
ハイブリッド自動再送要求（ＨＡＲＱ）方式をサポートする通信システムにおける基地局（ＢＳ）であって、
予め定められているダウンリンクサブフレームにおける基本セル（Ｐｃｅｌｌ）で、物理ダウンリンク制御チャンネル（ＰＤＣＣＨ）における制御情報を送信する送信部と、
前記制御情報に基づいて補助セル（Ｓｃｅｌｌ）で割り当てられた第１のアップリンクサブフレームで物理アップリンク共有チャンネル（ＰＵＳＣＨ）におけるデータを受信する受信部と、を含み、
前記ＰＤＣＣＨにおける前記予め定められているダウンリンクフレームは、前記第１のアップリンクサブフレームと同一の時間位置に位置する基本セルにおけるサブフレームのタイプと、前記基本セル及び補助セルの各々に適用されているアップリンク／ダウンリンク構成のうち一つに基づいて決定され、前記基本セルで適用されたアップリンク／ダウンリンク構成は、前記補助セルで適用されたアップリンク／ダウンリンク構成と相異することを特徴とする基地局。
【請求項２０】
前記基本セルにおける前記サブフレームのタイプがアップリンクサブフレームである場合、前記ＰＤＣＣＨにおける前記予め定められているダウンリンクサブフレームは、前記基本セルにおける前記アップリンクサブフレームのスケジューリングのために割り当てられるダウンリンクサブフレームであることを特徴とする請求項１９に記載の基地局。
【請求項２１】
前記補助セルにおける前記サブフレームのタイプがダウンリンクサブフレームである場合、前記ＰＤＣＣＨにおける前記予め定められているダウンリンクサブフレームは、前記基本セルと前記補助セルの各々で適用されたアップリンク／ダウンリンク構成に基づいて、前記基本セルで割り当てられたアップリンクサブフレームのうちで決定されることを特徴とする請求項１９に記載の基地局。
【請求項２２】
前記送信部は、予め定められているダウンリンクサブフレームにおける前記基本セルで物理ＨＡＲＱインジケータチャンネル（ＰＨＩＣＨ）に対する指示情報を送信し、
前記受信部は、前記送信された指示情報に基づいて前記補助セルで割り当てられる第２のアップリンクサブフレームで前記ＰＵＳＣＨにおける前記データを受信し、
前記ＰＨＩＣＨにおける前記予め定められているダウンリンクサブフレームは、前記第２のアップリンクサブフレームと同一の時間位置に位置する前記基本セルにおけるサブフレームのタイプと、前記基本セルと前記補助セルの各々で適用されるアップリンク／ダウンリンク構成のうち少なくとも一つに基づいて決定され、前記基本セルで適用されるアップリンク／ダウンリンク構成は、前記補助セルで適用されるアップリンク／ダウンリンク構成と相異することを特徴とする請求項１９に記載の基地局。
【請求項２３】
前記基本セルにおける前記サブフレームのタイプがアップリンクサブフレームである場合、前記ＰＨＩＣＨにおける前記予め定められているサブフレームは、前記基本セルにおける前記アップリンクサブフレームのスケジューリングのために割り当てられるダウンリンクサブフレームであることを特徴とする請求項２２に記載の基地局。
【請求項２４】
前記基本セルにおける前記サブフレームのタイプがダウンリンクサブフレームである場合、前記ＰＨＩＣＨにおける前記予め定められているダウンリンクサブフレームは、前記基本セルと前記補助セルの各々で適用されたアップリンク／ダウンリンク構成に基づいて前記基本セルで割り当てられた複数のアップリンクサブフレームのうちで決定されることを特徴とする請求項２２に記載の基地局。
【発明の詳細な説明】
【技術分野】
【０００１】
本発明は一般的に無線通信システムに関するもので、特にアップリンクデータの同期ハイブリッド自動再送要求(ＨＡＲＱ)送信をサポートする方法に関する。
【背景技術】
【０００２】
無線通信システムの一例として、ＬＴＥ(Long  Term  Evolution)技術は、周波数分割デュプレックス(ＦＤＤ)モードと時分割デュプレックス(ＴＤＤ)モード両方ともをサポートする。
【０００３】
図１は、ＬＴＥ  ＴＤＤシステムのフレーム構造を示す。各無線フレーム１０２の長さは１０ｍｓであり、無線フレーム１０２は５ｍｓの２個のハーフフレーム１０４に分割され、ハーフフレーム１０４の各々は０.５ｍｓである８個のタイムスロット１０６と１ｍｓである３個の特別フィールド１０８を含む。３個の特別フィールド１０８は、各々ダウンリンクパイロットタイムスロット(ＤｗＰＴＳ)、保護区間(ＧＰ)及びアップリンクパイロットタイムスロット(ＵｐＰＴＳ)であり、各サブフレームは、連続した２個のタイムスロットにより形成される。
【０００４】
ＴＤＤシステムの送信は、ダウンリンクと称される基地局(ＢＳ)からユーザー機器(ＵＥ)への送信と、アップリンクと称されるＵＥからＢＳへの送信を含む。図１に示すフレーム構造に基づき、アップリンク及びダウンリンクは毎１０ｍｓ内に１０個のサブフレームを共有し、各サブフレームはアップリンク又はダウンリンクのために構成される。アップリンクのために構成されたサブフレームはアップリンクサブフレームと呼び、ダウンリンクのために構成されたサブフレームはダウンリンクサブフレームと呼ぶ。
【０００５】
下記＜表１＞の例に示すように、ＴＤＤシステムは、７つのタイプのアップリンク及びダウンリンク構成をサポートする。ここで、Ｄはダウンリンクサブフレームを表し、Ｕはアップリンクサブフレームを表し、Ｓは３個の特別フィールドを含む特別サブフレームを表す。
【０００６】
【表１】
0005969005.tif 000002
【０００７】
ＬＴＥＴＤＤシステムは、ハイブリッド自動再送要求(ＨＡＲＱ)メカニズムをサポートし、基本的な原則は次のようである。基地局はＵＥに対するアップリンクリソースを割り当て、ＵＥはアップリンクリソースを用いて基地局にアップリンクデータを送信し、基地局はアップリンクデータを受信してＵＥにＨＡＲＱ指示情報を送信し、ＵＥはこの指示情報に従ってアップリンクデータを再送信する。特に、ＵＥは、物理アップリンク共有チャンネル(ＰＵＳＣＨ)を介してアップリンクデータを搬送し、基地局は、物理ダウンリンク制御チャンネル(ＰＤＣＣＨ)を介してＰＵＳＣＨスケジューリングと制御情報を搬送し、基地局は、物理ＨＡＲＱインジケータチャンネル(ＰＨＩＣＨ)を介してＨＡＲＱ指示情報を搬送する。上記した手順で、送信のタイミング位置とＰＵＳＣＨの後続(subsequent)再送信のタイミング位置を決定することは、ＰＤＣＣＨ及びＰＨＩＣＨからＰＵＳＣＨへのタイミング関係と、ＰＵＳＣＨからＰＨＩＣＨへのタイミング関係(これらはＨＡＲＱ送信タイミングと通称する)を含む予め構成されたタイミング関係に基づく。
【０００８】
ユーザーの送信レートを高めるために、ＬＴＥ-Ａ(LTE  Advanced)が提供される。ＬＴＥ-Ａにおいて、より広い動作帯域幅を得るためにいくつかの構成要素キャリア(Component  Carrier：ＣＣ）を組み合わせる技術は、キャリアアグリゲーション(ＣＡ)と称される。例えば、１００ＭＨｚの帯域幅は、２０ＭＨｚの構成要素キャリア５個を組み合わせてサポートできる。各ＣＣは、セルと称される。基地局は、ＵＥが複数のセルで動作するように構成でき、ここで一つのセルは、１次セル(Ｐｃｅｌｌ)とし、他のセルは２次セル(Ｓｃｅｌｌ)とする。
【０００９】
ＬＴＥ-Ａ  ＴＤＤシステムにおいて、複数の組み合わせセルは、同一のアップリンク/ダウンリンク構成を採用し、それによってＬＴＥで一つのセルに対して構成されたＨＡＲＱ送信タイミング関係が追加の標準化動作なしに完全に多重化できる。以下、ＬＴＥとＬＴＥ-Ａのような従来システムにおけるＨＡＲＱ送信タイミング関係について簡単に説明する。
【００１０】
まず、ＰＤＣＣＨとＰＨＩＣＨからＰＵＳＣＨへのタイミング関係を紹介する。
【００１１】
ＰＤＣＣＨからＰＵＳＣＨへのタイミング関係の場合、ＵＥは、ダウンリンクサブフレームｎでＰＤＣＣＨを受信すると仮定すれば、このＰＤＣＣＨは、アップリンクサブフレーム(ｎ＋ｋ)のＰＵＳＣＨを制御する。ｋの値は、下記の＜表２＞に定義されている。
【００１２】
特に、アップリンク/ダウンリンク構成１〜６の場合、アップリンクサブフレームの数がダウンリンクサブフレームの数より小さく、固有のＨＡＲＱ送信タイミングが下記の＜表２＞に対応して構成される。ダウンリンクサブフレームは、ＰＵＳＣＨをスケジューリングせず、あるいは一つのアップリンクサブフレームのＰＵＳＣＨをスケジューリングすることができる。アップリンク/ダウンリンク構成０の場合、アップリンクサブフレームの数は、ダウンリンクサブフレームの数より大きく、各ダウンリンクサブフレームのＰＤＣＣＨは、２個のアップリンクサブフレームでＰＵＳＣＨをスケジューリングする必要がある。したがって、２個のアップリンクサブフレームのＰＵＳＣＨスケジューリングをサポートするために、ＰＤＣＣＨではアップリンクインデックス(ＵＬインデックス)技術が使用される。例えば、ＵＥがダウンリンクサブフレーム０でＰＤＣＣＨを受信する場合、アップリンクサブフレーム４のＰＵＳＣＨ及び/又はアップリンクサブフレーム７のＰＵＳＣＨはスケジューリングされ、ＵＥがダウンリンクサブフレーム１でＰＤＣＣＨを受信する場合、アップリンクサブフレーム７のＰＵＳＣＨ及び/又はアップリンクサブフレーム８のＰＵＳＣＨはスケジューリングされる。
【００１３】
【表２】
0005969005.tif 000003
【００１４】
ＰＨＩＣＨからＰＵＳＣＨへのタイミング関係の場合、ＬＴＥとＬＴＥ-Ａで、各アップリンクサブフレームのＰＵＳＣＨは、別途に設定されたＰＨＩＣＨが割り当てられ、ＵＥがダウンリンクサブフレームｎでＰＨＩＣＨを受信すると仮定すれば、このＰＨＩＣＨは、アップリンクサブフレームｎ＋ｋのＰＵＳＣＨを制御する。ｋの値は、一例として下記の＜表３＞のように定義される。特に、アップリンク/ダウンリンク構成１〜６の場合、アップリンクサブフレームの数は、ダウンリンクサブフレームの数より小さく、固有のＨＡＲＱ送信タイミングは、下記の＜表３＞に対応して構成され得る。ダウンリンクサブフレームは、ＰＨＩＣＨリソースセットで構成されず、あるいは一つのアップリンクサブフレームに対して設定されたＰＨＩＣＨリソースで構成されない。アップリンク/ダウンリンク構成０の場合、アップリンクサブフレームの数は、ダウンリンクサブフレームの数より大きく、２個のＰＨＩＣＨリソースセットは、各々ダウンリンクサブフレーム０及び５に構成される。例えば、ＵＥがダウンリンクサブフレーム０でＰＨＩＣＨを受信する場合、アップリンクサブフレーム４及び/又はアップリンクサブフレーム７のＰＵＳＣＨはトリガされ得る。
【００１５】
【表３】
0005969005.tif 000004
【００１６】
次に、ＬＴＥとＬＴＥ-ＡでＰＵＳＣＨからＰＨＩＣＨへのタイミング関係を紹介する。
【００１７】
アップリンク/ダウンリンク構成１〜６の場合、ＵＥがダウンリンクサブフレームｉを通じてＰＨＩＣＨを受信する場合、このＰＨＩＣＨは、アップリンクサブフレームｉ-ｋのＰＵＳＣＨのＡＣＫ/ＮＡＣＫを表し、ｋの値は、一例として下記の＜表４＞のように定義される。
【００１８】
アップリンク/ダウンリンク構成０の場合、ＵＥがダウンリンクサブフレームｉの０番目のＰＨＩＣＨリソースを通じてＰＨＩＣＨを受信する場合、このＰＨＩＣＨは、アップリンクサブフレームｉ-ｋのＰＵＳＣＨを制御する。ＵＥがダウンリンクサブフレーム０又はダウンリンクサブフレーム５の最初のＰＨＩＣＨリソースを通じてＰＨＩＣＨを受信する場合、このＰＨＩＣＨは、アップリンクサブフレームｉ-６のＰＵＳＣＨ送信を制御する。
【００１９】
【表４】
0005969005.tif 000005
【００２０】
２つのタイプのスケジューリング方式はＬＴＥ-Ａで定義される。一つのタイプは、クロスキャリア(cross-carrier)スケジューリングであり、もう一つのタイプはノンクロスキャリアスケジューリングである。クロスキャリアスケジューリングは、セルでのデータ送信が他のセルが送信したＰＤＣＣＨによりスケジューリングされることを意味し、ノンクロスキャリアスケジューリングは、セルでのデータ送信が同一のセルが送信したＰＤＣＣＨによりスケジューリングされることを意味する。
【００２１】
複数のセルのアップリンク/ダウンリンク構成が同一である場合、クロスキャリアスケジューリングは、ノンクロスキャリアスケジューリングのＨＡＲＱ送信タイミングを完全に再使用できる。
【００２２】
図２は、従来のクロスキャリアスケジューリングとノンクロスキャリアスケジューリングを示す。図２に示すように、セル１及びセル２両方は、アップリンク/ダウンリンク構成１を採用し、アップリンクサブフレームの番号は同期ＨＡＲＱプロセス番号を意味し、ダウンリンクサブフレームの番号はこのダウンリンクサブフレームによりスケジューリングされたアップリンクサブフレームの同期ＨＡＲＱプロセス番号を意味し、斜線で示されたフィールドはダウンリンクサブフレームであり、ブランクや色で埋めたフィールドはアップリンクサブフレームである。ノンクロスキャリアスケジューリングの場合、ＵＥはセル２で動作し、基地局は、アップリンクサブフレーム２０１のＰＵＳＣＨをスケジューリングするためにダウンリンクサブフレーム２１１でＰＤＣＣＨの情報を送信し、ダウンリンクサブフレーム２１２でＰＨＩＣＨの情報を送信し、ＵＥがアップリンクサブフレーム２０２を通じてアップリンクサブフレーム２０１のＰＵＳＣＨのデータを再送信するようにトリガする。クロスキャリアスケジューリングの場合、基地局は、ダウンリンクサブフレーム３１１でＰＤＣＣＨを送信し、ダウンリンクサブフレーム３１２でＰＨＩＣＨを送信できる。
【００２３】
したがって、クロスキャリアスケジューリング又はノンクロスキャリアスケジューリングに関係なく、ＰＵＳＣＨの送信のタイミング位置と後続再送信のタイミング位置との間のタイミング関係は一定であり、これを同期ＨＡＲＱ送信と称する。
【００２４】
ＣＡを実現する複数のセル間の周波数領域距離が十分に長い場合、これらセルは、相互に干渉せずに相互に異なるアップリンク/ダウンリンク構成を採用することができる。したがって、ＬＴＥ-Ａの後続研究において、一つのプロジェクトは、複数のセルのアップリンク/ダウンリンク構成が同一でない場合にＨＡＲＱ送信をサポートする方法について研究しようとする。しかしながら、従来技術ではこのような問題に対して提供される解決策がないという問題があった。
【発明の概要】
【発明が解決しようとする課題】
【００２５】
したがって、上記した従来技術の問題点を解決するために、本発明の目的は、複数のＣＡセルにより採用されるアップリンク/ダウンリンク構成が同一でない場合にＰＵＳＣＨの同期ＨＡＲＱ送信をサポートする方法及び装置を提供することにある。
【課題を解決するための手段】
【００２６】
上記のような目的を達成するために、本発明の一態様によれば、アップリンクデータの同期ハイブリッド自動再送要求(ＨＡＲＱ)送信をサポートする方法であって、ユーザー機器(ＵＥ)が、キャリアアグリゲーション(ＣＡ)の複数のセルが異なるアップリンク/ダウンリンク構成を有するＣＡモードで動作するように構成するステップと、基地局により、物理ダウンリンク制御チャンネル(ＰＤＣＣＨ)と物理ＨＡＲＱインジケータチャンネル(ＰＨＩＣＨ)から物理アップリンク共有チャンネル(ＰＵＳＣＨ)へのタイミング関係によって、ＣＡの１次セルでＰＤＣＣＨ及び/又はＰＨＩＣＨを送信し、ＣＡの２次セルでＵＥにより送信されたＰＵＳＣＨを受信するステップと、ＰＵＳＣＨを受信した以後ＰＵＳＣＨからＰＨＩＣＨへのタイミング関係によって１次セルでＰＨＩＣＨを送信し、ＰＨＩＣＨを送信した以後ＰＨＩＣＨからＰＵＳＣＨへのタイミング関係によって２次セルでＵＥにより再送信されたＰＵＳＣＨを受信するステップとを有する。
【００２７】
本発明の他の態様によれば、アップリンクデータの同期ハイブリッド自動再送要求(ＨＡＲＱ)送信を遂行する方法であって、ユーザー機器(ＵＥ)がキャリアアグリゲーション(ＣＡ)の複数のセルが異なるアップリンク/ダウンリンク構成を有するＣＡモードで動作するように構成するステップと、物理ダウンリンク制御チャンネル(ＰＤＣＣＨ)と物理ＨＡＲＱインジケータチャンネル(ＰＨＩＣＨ)から物理アップリンク共有チャンネル(ＰＵＳＣＨ)へのタイミング関係によって、ＵＥによりＣＡの１次セルで基地局から送信されたＰＤＣＣＨ及び/又はＰＨＩＣＨを受信してＣＡの２次セルでＰＵＳＣＨを送信するステップと、ＰＵＳＣＨを送信した後にＰＵＳＣＨからＰＨＩＣＨへのタイミング関係によって１次セルでＰＨＩＣＨを受信し、ＰＨＩＣＨを受信した後にＰＨＩＣＨからＰＵＳＣＨへのタイミング関係によって２次セルでＰＵＳＣＨを再送信するステップとを有する。
【００２８】
また、本発明の他の態様によれば、アップリンクデータの同期ハイブリッド自動再送要求(ＨＡＲＱ)送信をサポートする基地局内の装置であって、ユーザー機器(ＵＥ)が、キャリアアグリゲーション(ＣＡ)の複数のセルが異なるアップリンク/ダウンリンク構成を有するＣＡモードで動作するように構成し、物理ダウンリンク制御チャンネル(ＰＤＣＣＨ)と物理ＨＡＲＱインジケータチャンネル(ＰＨＩＣＨ)から物理アップリンク共有チャンネル(ＰＵＳＣＨ)へのタイミング関係、ＰＵＳＣＨからＰＨＩＣＨへのタイミング関係、及びＰＨＩＣＨからＰＵＳＣＨへのタイミング関係を決定する制御部と、ＰＤＣＣＨとＰＨＩＣＨからＰＵＳＣＨへのタイミング関係によってＣＡの１次セルでＰＤＣＣＨ及び/又はＰＨＩＣＨを送信し、ＰＵＳＣＨからＰＨＩＣＨへのタイミング関係によって１次セルでＰＨＩＣＨを送信する送信部と、ＰＤＣＣＨとＰＨＩＣＨからＰＵＳＣＨへのタイミング関係によってＣＡの２次セルでＵＥにより送信されたＰＵＳＣＨを受信し、ＰＨＩＣＨからＰＵＳＣＨへのタイミング関係によって２次セルでＵＥにより再送信されたＰＵＳＣＨを受信する受信プロセス部とを含む。
【００２９】
さらに、本発明の他の態様によれば、アップリンクデータの同期ハイブリッド自動再送要求(ＨＡＲＱ)送信を遂行するユーザー機器(ＵＥ)内の装置であって、ユーザー機器(ＵＥ)が、キャリアアグリゲーション(ＣＡ)の複数のセルが異なるアップリンク/ダウンリンク構成を採用するＣＡモードで動作するように構成し、物理ダウンリンク制御チャンネル(ＰＤＣＣＨ)と物理ＨＡＲＱインジケータチャンネル(ＰＨＩＣＨ)から物理アップリンク共有チャンネル(ＰＵＳＣＨ)へのタイミング関係、ＰＵＳＣＨからＰＨＩＣＨへのタイミング関係、及びＰＨＩＣＨからＰＵＳＣＨへのタイミング関係を決定する制御部と、ＰＤＣＣＨとＰＨＩＣＨからＰＵＳＣＨへのタイミング関係によって、ＣＡの１次セルで基地局から送信されたＰＤＣＣＨ及び/又はＰＨＩＣＨを受信し、ＰＵＳＣＨからＰＨＩＣＨへのタイミング関係によって１次セルでＰＨＩＣＨを受信する受信部と、ＰＤＣＣＨとＰＨＩＣＨからＰＵＳＣＨへのタイミング関係によってＣＡの２次セルでＰＵＳＣＨを送信し、ＰＨＩＣＨからＰＵＳＣＨへのタイミング関係によって２次セルでＰＵＳＣＨを再送信する送信プロセス部とを含む。
【図面の簡単な説明】
【００３０】
【図１】従来のＬＴＥ  ＴＤＤシステムのフレーム構造を示す図である。
【図２】従来のクロスキャリアスケジューリング及びノンクロスキャリアスケジューリングを示す図である。
【図３】本発明によるＰＵＳＣＨの同期ＨＡＲＱ送信をサポートする方法を示す図である。
【図４】本発明による同期ＨＡＲＱ送信を示す図である。
【図５】本発明によるクロスキャリアスケジューリングを示す図である。
【図６】本発明により短い処理時間を有する基地局のＰＵＳＣＨ手順を示す図である。
【図７】本発明の一実施形態により、同期ＨＡＲＱ送信を遂行するＵＥの構成を示す図である。
【図８】本発明の一実施形態により、同期ＨＡＲＱ送信をサポートする基地局の構成を示す図である。  本発明の上記及び他の態様、特徴、及び利点は、添付の図面と共に述べる以下の詳細な説明から、一層明らかになるはずである。
【発明を実施するための形態】
【００３１】
以下、本発明の望ましい実施形態を添付の図面を参照して詳細に説明する。
【００３２】
下記の説明において、当該技術分野における公知の構成又は機能の詳細な説明は、本発明の要旨を不明にする可能性がある場合に省略できる。
【００３３】
本発明は、複数のＣＡセルのアップリンク/ダウンリンク構成が異なる状況に関するものである。ＬＴＥとＬＴＥ-Ａと同様に、基地局は、ＵＥが一つのセル又は複数のセル(部分又は全体)で動作するように構成する。
【００３４】
ノンクロスキャリアスケジューリングの場合、セルのアップリンクサブフレームのＰＵＳＣＨがこのセルのダウンリンクサブフレームのＰＤＣＣＨとＰＨＩＣＨによりスケジューリングされるため、このセルは、ＬＴＥとＬＴＥ-Ａの同一のアップリンク及びダウンリンク構成を有するセルで構成される、ＰＤＣＣＨとＰＨＩＣＨからＰＵＳＣＨへのタイミング関係とＰＵＳＣＨからＰＨＩＣＨへのタイミング関係によってＰＵＳＣＨの同期ＨＡＲＱ送信を実現できる。
【００３５】
クロスキャリアスケジューリングの場合、ＰＤＣＣＨとＰＨＩＣＨを送信するセルは１次セルと称され、通常Ｐｃｅｌｌで示され、ＰＵＳＣＨを送信するセルは２次セルと称され、通常Ｓｃｅｌｌで示される。Ｐｃｅｌｌのアップリンク/ダウンリンク構成がＳｃｅｌｌのアップリンク/ダウンリンク構成と同一である場合、ＰＵＳＣＨの同期ＨＡＲＱ送信は、ＬＴＥとＬＴＥ-Ａの同一のアップリンク及びダウンリンク構成を有するセルで構成されたＰＤＣＣＨとＰＨＩＣＨからＰＵＳＣＨへのタイミング関係と、ＰＵＳＣＨからＰＨＩＣＨへのタイミング関係によって実現され得る。しかしながら、Ｐｃｅｌｌのアップリンク/ダウンリンク構成がＳｃｅｌｌのアップリンク/ダウンリンク構成と異なる場合、ＰＵＳＣＨの同期ＨＡＲＱ送信は、ＬＴＥ又はＬＴＥ-Ａの構成によって実現されないこともある。
【００３６】
クロスキャリアスケジューリングが実現され、ＰｃｅｌｌとＳｃｅｌｌが相互に異なるアップリンク/ダウンリンク構成を採用する場合、図３は、本発明によりＰＵＳＣＨの同期ＨＡＲＱ送信をサポートする方法を示す。
【００３７】
ステップ３０１において、基地局は、ＵＥがＣＡモードで動作するように構成する。ステップ３０２において、基地局は、ＰＤＣＣＨとＰＨＩＣＨからＰＵＳＣＨへのタイミング関係に従ってＰｃｅｌｌでＰＤＣＣＨ及び/又はＰＨＩＣＨを送信し、ＳｃｅｌｌでＵＥにより送信されたＰＵＳＣＨを受信する。ステップ３０３において、基地局は、ＰＵＳＣＨからＰＨＩＣＨへのタイミング関係によってＰｃｅｌｌのＰＨＩＣＨを送信し、ＰＨＩＣＨからＰＵＳＣＨへのタイミング関係に従ってＳｃｅｌｌで再送信されるＰＵＳＣＨを受信する。再送信ＰＵＳＣＨのタイミング位置とＵＥにより以前に送信されたＰＵＳＣＨのタイミング位置との間のタイミング関係は、ＬＴＥとＬＴＥ-Ａでのタイミング関係と同一である。
【００３８】
したがって、本発明による方法では、一度にＵＥによりＳｃｅｌｌで送信されたＰＵＳＣＨのタイミング位置とＵＥによる次のＰＵＳＣＨ再送信のタイミング位置との間のタイミング関係はＬＴＥとＬＴＥ-Ａのタイミング関係と同一であることが保証される。
【００３９】
また、ＬＴＥとＬＴＥ-ＡでのＵＥに比べて、本発明によるＵＥは、新たなＵＥと称し、新たなＵＥのアップリンクリソースとＬＴＥ/ＬＴＥ-Ａのアップリンクリソースが一つの送信に対して直交する場合、新たなＵＥのアップリンクリソースとＬＴＥ/ＬＴＥ-ＡのＵＥのアップリンクリソースは、後続ＰＵＳＣＨ再送信に対して引き続き直交する。そのため、同期ＨＡＲＱ送信は制限されず、スケジューラのフレキシビリティが強化される。
【００４０】
図４は、本発明による同期ＨＡＲＱ送信を示す。図４において、斜線で示されたフィールドはダウンリンクサブフレームであり、ブランク及び色で埋めたフィールドは、アップリンクサブフレームである。セル１  ４１０がアップリンク/ダウンリンク構成１を採用してセル２  ４１２がアップリンク/ダウンリンク構成０を採用すると仮定すれば、アップリンクサブフレームの数字は同期ＨＡＲＱプロセス番号を表し、ダウンリンクサブフレームの数字は、このダウンリンクサブフレームによりスケジューリングされたアップリンクサブフレームの同期ＨＡＲＱプロセス番号を表す。
【００４１】
一般的に、セル２  ４１２で動作するＬＴＥ  ＵＥの場合、基地局は、アップリンクサブフレーム２０１のＰＵＳＣＨをスケジューリングするためにダウンリンクサブフレーム２１１でＰＤＣＣＨを送信し、ダウンリンクサブフレーム２１２でＰＨＩＣＨ情報を送信し、アップリンクサブフレーム２０２でアップリンクサブフレーム２０１のＰＵＳＣＨの同期ＨＡＲＱ再送信をトリガする。
【００４２】
本発明によると、同時に２個のセル４１０，４１２で動作するように構成された新たなＵＥの場合、基地局がセル１  ４１０を通じてセル２  ４１２をクロスキャリアスケジューリングすると仮定すれば、同期ＨＡＲＱ送信を実現するために、本発明の方法により、アップリンクサブフレーム２０１のＰＵＳＣＨがアップリンクサブフレーム２０２で同期ＨＡＲＱ再送信を遂行するが、アップリンクサブフレーム２０１のＰＵＳＣＨをスケジューリングするＰＤＣＣＨは、セル１  ４１０のダウンリンクサブフレーム２２１で送信でき、アップリンクサブフレーム２０１のＰＵＳＣＨに対応するＰＨＩＣＨ情報がセル１  ４１０のダウンリンクサブフレーム２２２で送信される。
【００４３】
本発明によれば、ＰＤＣＣＨとＰＨＩＣＨからＰＵＳＣＨへのタイミング関係とＳｃｅｌｌのアップリンクサブフレームに対応するＰＵＳＣＨからＰＨＩＣＨへのタイミング関係を予め構成する過程は、下記に基づいて実現できる。
【００４４】
ステップ１において、構成原則により、Ｓｃｅｌｌのアップリンクサブフレームに対応するＰＤＣＣＨとＰＨＩＣＨからＰＵＳＣＨへのタイミング関係を構成する。
【００４５】
上記構成原則は、次の４つを含む。
【００４６】
原則１:ＳｃｅｌｌのアップリンクサブフレームをスケジューリングするＰｃｅｌｌのダウンリンクサブフレームｎのインデックスはｎ＋ｋより大きいか等しい。ここで、ｋは４のように定数であり、最小限のＵＥ処理時間が(ｋ-１)ｍｓとなるように保証する。
【００４７】
原則２：Ｐｃｅｌｌのダウンリンクサブフレームによりスケジューリングされたアップリンクサブフレームの数が等しいか可能な限り近くにするように保証する。
【００４８】
原則３：ＰＵＳＣＨをスケジューリングするＰＤＣＣＨとＰＨＩＣＨのタイミング位置が最後にＰＵＳＣＨをスケジューリングするＰＤＣＣＨとＰＨＩＣＨのタイミング位置より遅くないように保証する。
【００４９】
原則４：同一のアップリンクサブフレームのＰＵＳＣＨをスケジューリングするＰＤＣＣＨとＰＨＩＣＨが同一のタイミング位置に位置するように保証する。複数のダウンリンクサブフレームのＰＤＣＣＨが同一のアップリンクサブフレームのＰＵＳＣＨをスケジューリングする場合、ＰＨＩＣＨのタイミング位置はＰＤＣＣＨのうちいずれか一つのタイミング位置と同一である。
【００５０】
ステップ２において、Ｓｃｅｌｌのアップリンクサブフレームに対応するＰＤＣＣＨとＰＨＩＣＨからＰＵＳＣＨへのタイミング位置によって、ＰＵＳＣＨからＰＨＩＣＨへのタイミング関係を予測する。
【００５１】
例えば、アップリンクサブフレームｎで送信されたＰＵＳＣＨの場合、＜表４＞に示すＬＴＥとＬＴＥ-ＡでのＰＵＳＣＨからＰＨＩＣＨへのタイミング関係に従って、ＰＨＩＣＨがダウンリンクサブフレームｎ＋Ｐで送信され、＜表２＞及び＜表３＞に示したＰＤＣＣＨ及びＰＨＩＣＨからＰＵＳＣＨへのタイミング関係によって、再送信ＰＵＳＣＨがアップリンクサブフレームｎ＋ｐ＋ｒで再送信されることがわかる。したがって、複数のＣＡセルが相互に異なるアップリンク/ダウンリンク構成を採用する場合にクロスキャリアスケジューリングの状況で、ＰＤＣＣＨとＰＨＩＣＨからＰＵＳＣＨへの新たなタイミング関係が構成され、このような新たなタイミング関係で、ＰＵＳＣＨアップリンクサブフレームｎ＋ｐ＋ｒの再送信をスケジューリングするＰＨＩＣＨダウンリンクサブフレームのインデックスは(ｎ＋ｐ＋ｒ)-ｇにあり、言い換えれば、ＰＵＳＣＨを送信するアップリンクサブフレームｎに対応するＰＵＳＣＨからＰＨＩＣＨへのタイミング位置はｎ＋(ｐ＋ｒ−ｇ)である。
【００５２】
アップリンク同期ＨＡＲＱに対して詳述する場合、ＰＵＳＣＨからＰＨＩＣＨへのタイミング関係が表の形式で提供され、あるいはＰｃｅｌｌのＰＵＳＣＨの送信とＳｃｅｌｌのＰＵＳＣＨの後続再送信との間のタイミング関係がＬＴＥ及びＬＴＥ-Ａの同一のアップリンク/ダウンリンク構成を有するセルのタイミング関係と同一であるとテキストで説明され、それによってＰＨＩＣＨからＰＵＳＣＨへのタイミング関係が分かる。または、ＰＵＳＣＨからＰＨＩＣＨへのタイミング関係とＰＤＣＣＨとＰＨＩＣＨからＰＵＳＣＨへのタイミング関係が表の形態で提供でき、この２個の表は両方ともにＰＵＳＣＨの送信とＳｃｅｌｌのＰＵＳＣＨの後続再送信間のタイミング関係がＬＴＥとＬＴＥ-Ａの同一のアップリンク/ダウンリンク構成を有するセルのタイミング関係と同一なように機能する
【００５３】
＜第１の実施形態＞
【００５４】
クロスキャリアスケジューリングの状況において、ＬＴＥとＬＴＥ-ＡでのＰＤＣＣＨ及びＰＨＩＣＨからＰＵＳＣＨへの構成されたタイミング関係をできる限り再使用する。
【００５５】
より詳細には、Ｓｃｅｌｌのアップリンクサブフレームの場合、これがＰｃｅｌｌの同一のタイミング位置にあるアップリンクサブフレームであると、Ｓｃｅｌｌのこのアップリンクサブフレームに対応するＰＤＣＣＨ及びＰＨＩＣＨからＰＵＳＣＨへのタイミング関係は、同一のタイミング位置にあるＰｃｅｌｌのアップリンクサブフレームに対応するＰＤＣＣＨ及びＰＨＩＣＨからＰＵＳＣＨへのタイミング関係と同一である。
【００５６】
図５は、本発明によるクロスキャリアスケジューリングのＨＡＲＱ送信タイミングを示す。図５に示すように、斜線部分を含むフィールドはダウンリンクサブフレームであり、ブランクフィールドはアップリンクサブフレームであり、セル１  ５１０は１次セルであり、セル２  ５１２は２次セルである。セル２  ５１２のアップリンクサブフレーム３０１，３０２，３０４，３０５は、セル１  ５１０の同一のタイミング位置にあるアップリンクサブフレームであるので、セル２  ５１２のアップリンクサブフレーム３０１，３０２，３０４，３０５のＰＤＣＣＨ及びＰＨＩＣＨからＰＵＳＣＨへのタイミング関係は、ＬＴＥとＬＴＥ-Ａのセル１  ５１０と同一のアップリンク/ダウンリンク構成を有するセルに対して構成されたＰＤＣＣＨ及びＰＨＩＣＨからＰＵＳＣＨへのタイミング関係と同一である。すなわち、ＰＤＣＣＨとＰＨＩＣＨは、セル１  ５１０のダウンリンクサブフレーム３１１，３１２，３１４，３１５で各々送信できる。
【００５７】
Ｓｃｅｌｌのアップリンクサブフレームの場合、これがＰｃｅｌｌの同一のタイミング位置にあるダウンリンクサブフレームであると、Ｓｃｅｌｌのこのアップリンクサブフレームに対応するＰＤＣＣＨとＰＨＩＣＨからＰＵＳＣＨへのタイミング関係は、ＬＴＥとＬＴＥ-Ａの構成結果を再使用できないが、第１の実施形態の方法により再構成されなければならない。図５を参照すると、セル２  ５１２のアップリンクサブフレーム３０３の場合、これがセル１  ５１０の同一のタイミング位置にあるダウンリンクサブフレームであるため、セル２  ５１２のアップリンクサブフレーム３０３に対応するＰＤＣＣＨとＰＨＩＣＨからＰＵＳＣＨへのタイミング関係が再構成しなければならず、例えばＰＤＣＣＨとＰＨＩＣＨは、セル１  ５１０のダウンリンクサブフレーム３１３で送信できる。
【００５８】
この第１の実施形態において、次の２つの方法は、ＰＤＣＣＨとＰＨＩＣＨからＰＵＳＣＨへのタイミング関係を構成するために採用できる。
【００５９】
まず、ＰｃｅｌｌとＳｃｅｌｌにより採用される異なるアップリンク/ダウンリンク構成の多様な組み合わせによって、Ｓｃｅｌｌのアップリンクサブフレームに対応するＰＤＣＣＨとＰＨＩＣＨからＰＵＳＣＨへのタイミング関係は、各々構成することができる。ＬＴＥとＬＴＥ-Ａが７つのタイプのＴＤＤアップリンク/ダウンリンク構成をサポートするので、それぞれのアップリンク/ダウンリンク構成の場合、構成がＰｃｅｌｌに利用されると仮定すれば、他の６つのタイプのアップリンク/ダウンリンク構成に対するＰＤＣＣＨ及びＰＨＩＣＨからＰＵＳＣＨへのタイミング関係は、それに対応して構成されなければならない。これは、少なくとも４２つのタイプのタイミング関係が構成されなければならないことを意味する。
【００６０】
１)セルのフレームエッジが整列されると仮定
【００６１】
Ｐｃｅｌｌがアップリンク/ダウンリンク構成１，２，４，５を採用する場合、ＰＤＣＣＨ及びＰＨＩＣＨからＰＵＳＣＨへのタイミング関係が上記した原則１〜原則４により固有に決定することができる。下記の＜表５＞、＜表６＞、＜表７＞、＜表８＞の例は、各々Ｐｃｅｌｌがアップリンク/ダウンリンク構成１，２，４，５を採用する場合、Ｓｃｅｌｌのアップリンクサブフレームに対応するＰＤＣＣＨ及びＰＨＩＣＨからＰＵＳＣＨへのタイミング関係を示し、ＰＵＳＣＨからＰＨＩＣＨへのタイミング関係は、上記に紹介された方法により獲得でき、これはここで説明しない。
【００６２】
【表５】
0005969005.tif 000006
【００６３】
【表６】
0005969005.tif 000007
【００６４】
【表７】
0005969005.tif 000008
【００６５】
【表８】
0005969005.tif 000009
【００６６】
Ｐｃｅｌｌがアップリンク/ダウンリンク構成０を採用する場合、アップリンクサブフレームの数がアップリンク/ダウンリンク構成０で最大であるので、他のアップリンク/ダウンリンク構成でアップリンクサブフレームは、アップリンク/ダウンリンク構成０のアップリンクサブフレームのサブセットである。このような状況下で、Ｓｃｅｌｌのアップリンクサブフレームに対応するＰＤＣＣＨとＰＨＩＣＨからＰＵＳＣＨへのタイミング関係は、ＬＴＥとＬＴＥ-Ａでアップリンク/ダウンリンク構成０を採用するセルに対して構成されたＰＤＣＣＨとＰＨＩＣＨからＰＵＳＣＨへのタイミング関係のサブセットを直接に再使用することによって獲得することができる。
【００６７】
Ｐｃｅｌｌがアップリンク/ダウンリンク構成０を採用する場合、Ｓｃｅｌｌのアップリンクサブフレームに対応するＰＤＣＣＨからＰＵＳＣＨへのタイミング関係とＰＨＩＣＨからＰＵＳＣＨへのタイミング関係は、各々以下に紹介する。
【００６８】
まず、ＰＤＣＣＨからＰＵＳＣＨへのタイミング関係を紹介する。
【００６９】
ＬＴＥとＬＴＥ-Ａでアップリンク/ダウンリンク構成０を採用するセルに対して構成されたＰＤＣＣＨからＰＵＳＣＨへのタイミング関係により、Ｐｃｅｌｌの各ダウンリンクサブフレームの場合、このサブフレームが自身がスケジューリング１アップリンクサブフレームのタイミング位置と同じＳｃｅｌｌのタイミング位置にあるアップリンクサブフレームである場合、このダウンリンクサブフレームからアップリンクサブフレームへのタイミング位置を維持し、そうでないと、このダウンリンクサブフレームからアップリンクサブフレームへのタイミング位置を除去する。
【００７０】
下記の＜表９＞に示すように、アップリンク/ダウンリンク構成０を採用するＰｃｅｌｌとアップリンク/ダウンリンク構成１を採用するＳｃｅｌｌを例に挙げると、Ｓｃｅｌｌでインデックス４とインデックス９を有するサブフレームは両方ともダウンリンクサブフレームであり、＜表２＞のアップリンク/ダウンリンク構成０が採用される場合、セルのダウンリンクサブフレーム１とダウンリンクサブフレーム５がアップリンクサブフレーム４とアップリンクサブフレーム９を各々スケジューリングできる。上記の分析によれば、Ｓｃｅｌｌでサブフレーム４とサブフレーム９は、両方ともダウンリンクサブフレームであるため、＜表２＞に示したようなタイミング関係を削除できる。すなわち、＜表２＞でアップリンク/ダウンリンク構成０が採用される場合、ダウンリンクサブフレーム０で４であるｋの値とダウンリンクサブフレーム５で４であるｋの値が除去され、それによって＜表９＞のようなアップリンク/ダウンリンク構成１が採用される場合のｋの値を獲得することができる。
【００７１】
【表９】
0005969005.tif 000010
【００７２】
Ｐｃｅｌｌがアップリンク/ダウンリンク構成０を採用し、Ｓｃｅｌｌが異なるアップリンク/ダウンリンク構成を採用する場合、Ｐｃｅｌｌのダウンリンクサブフレームは、一つのアップリンクサブフレームのみでＰＵＳＣＨをスケジューリングする必要がある。この場合、Ｐｃｅｌｌのダウンリンクサブフレームが一つのアップリンクサブフレームのみでＰＵＳＣＨをスケジューリングする必要がある場合、ＬＴＥとＬＴＥ-Ａでのアップリンクインデックス技術を使用でき、このアップリンクインデックスは実際にＳｃｅｌｌに対して存在するアップリンクサブフレームのＰＵＳＣＨのスケジューリングを表すように適切な値に設定される必要があり、あるいはＰｃｅｌｌのダウンリンクサブフレームのアップリンクインデックスが使用されないことがあり、あるいはこのフィールドは、予備されるかあるいはＰＵＳＣＨ上でＰＤＳＣＨ  ＡＣＫ/ＮＡＣＫ情報送信をフィードバックするためのアップリンク割り当てインデックス(ＵＡＩ)として説明され得る。
【００７３】
Ｐｃｅｌｌのダウンリンクサブフレームでアップリンクインデックスの使用をできるだけ避けるために、＜表９＞がさらに最適化され得る。
【００７４】
アップリンク/ダウンリンク構成１〜５を目標とする最適化結果が下記の＜表１０＞に示される。最適化方法は、主に次のものを含む。複数のダウンリンクサブフレームでスケジューリングできる特定アップリンクサブフレームが存在する場合、最適化方法は、このアップリンクサブフレームが、＜表９＞に示したアップリンク/ダウンリンク構成１のように、一つのダウンリンクサブフレームのみによりスケジューリングされるようにし、ダウンリンクサブフレーム０とダウンリンクサブフレーム１両方がアップリンクサブフレーム７をスケジューリングするようにし、アップリンクサブフレーム７をスケジューリングするダウンリンクサブフレーム１のタイミング関係が削除できることによって、ダウンリンクサブフレーム１は、一つのアップリンクサブフレームのみをスケジューリングする。また、＜表９＞で一つのダウンリンクサブフレームによって既にスケジューリングされたこれらアップリンクサブフレームの場合、＜表９＞に示すアップリンク/ダウンリンク構成２のように、最小のスケジューリング遅延を有するタイミング関係が維持され、ダウンリンクサブフレーム０とダウンリンクサブフレーム１が両方ともアップリンクサブフレーム７をスケジューリングし、ダウンリンクサブフレーム０からアップリンクサブフレーム７へのタイミング関係のスケジューリング遅延がさらに長く、このようなタイミング関係が削除され、ダウンリンクサブフレーム１からアップリンクサブフレーム７へのタイミング関係のみが維持される。
【００７５】
【表１０】
0005969005.tif 000011
アップリンク/ダウンリンク構成６を目標とする最適化結果の例は下記の＜表１１＞に示され、上記の最適化結果は次のものを含む。ＬＴＥとＬＴＥ-Ａでのアップリンク/ダウンリンク構成０のアップリンクインデックスを再使用し、ダウンリンクサブフレーム０とダウンリンクサブフレーム１が３個のアップリンクサブフレームを共にスケジューリングする。しかしながら、これは、ダウンリンクサブフレーム５とダウンリンクサブフレーム６で、＜表９＞に示したダウンリンク構成６のように、一つのダウンリンクサブフレームが一つのアップリンクサブフレームのみでＰＵＳＣＨをスケジューリングすることで実現され、ダウンリンクサブフレーム５とダウンリンクサブフレーム６両方ともがアップリンクサブフレーム２をスケジューリングし、アップリンクサブフレーム２をスケジューリングするダウンリンクサブフレーム６のタイミング関係が削除され、ダウンリンクサブフレーム６が一つのアップリンクサブフレームのみをスケジューリングする。
【００７６】
【表１１】
0005969005.tif 000012
【００７７】
以下、ＰＨＩＣＨからＰＵＳＣＨへのタイミング関係について説明する。
【００７８】
ＬＴＥとＬＴＥ-Ａの規定によれば、Ｐｃｅｌｌがアップリンク/ダウンリンク構成０を採用する場合、ダウンリンクサブフレーム０とダウンリンクサブフレーム５は各々２個のＰＨＩＣＨリソースセットで構成され、ダウンリンクサブフレーム１とダウンリンクサブフレーム６は、各々一つのＰＨＩＣＨリソースセットで構成される。Ｓｃｅｌｌが多様なアップリンク/ダウンリンク構成を採用する場合、Ｓｃｅｌｌの実際のアップリンクサブフレームの数に従って、上記したＰＨＩＣＨリソースセットのうち一部がＰＨＩＣＨ送信に使用され、各ＳｃｅｌｌのアップリンクサブフレームでＰＵＳＣＨに対応するＰＨＩＣＨ情報は一つのＰＨＩＣＨリソースセットのみで送信される。
【００７９】
＜表９＞に対応して、＜表１２＞に示すように、ＬＴＥとＬＴＥ-Ａでアップリンク/ダウンリンク構成０を用いるセルに対して構成されたＰＨＩＣＨからＰＵＳＣＨへのタイミング関係によれば、Ｐｃｅｌｌの各ダウンリンクサブフレームの場合、このダウンリンクサブフレームによりスケジューリングされたアップリンクサブフレームのタイミング位置と同一のＳｃｅｌｌでのタイミング位置にあるアップリンクサブフレームであると、このダウンリンクサブフレームからアップリンクサブフレームへのタイミング関係が維持される。
【００８０】
【表１２】
0005969005.tif 000013
【００８１】
同様に、＜表１０＞と＜表１１＞に対応して、Ｓｃｅｌｌのアップリンクサブフレームに対応するＰＨＩＣＨからＰＵＳＣＨへのタイミング関係は、下記の＜表１３＞に示すようである。
【００８２】
【表１３】
0005969005.tif 000014
【００８３】
＜表９＞〜＜表１３＞において、基地局がＰＵＳＣＨを受信する処理時間が特定状況で減少することに注目する必要がある。特に、Ｓｃｅｌｌがアップリンク/ダウンリンク構成１，３、又は４を採用した場合、上記ケースが発生できる。
【００８４】
図６に示すように、Ｐｃｅｌｌはセル１  ６１０であり、アップリンク/ダウンリンク構成０が採用され、Ｓｃｅｌｌはセル２  ６１２であり、アップリンク/ダウンリンク構成１が採用される。＜表９＞の構成結果に従って、ＵＥは、アップリンクサブフレーム２０１(アップリンクサブフレーム８)でＰＵＳＣＨを送信し、ダウンリンクサブフレーム２２２(ダウンリンクサブフレーム１)でＰＨＩＣＨを受信する。すなわち、基地局がＰＨＩＣＨを送信するタイミングとＵＥがＰＵＳＣＨを送信するタイミングとの間の間隔が３個のサブフレーム(３ｍｓ)であり、これは、ＬＴＥとＬＴＥ-Ａで提供される４ｍｓの処理時間より小さい。このような場合、処理時間要件を満足しない状況はアップリンク送信に使用できず、あるいはこのような可能性は基地局実現によってサポートできる。例えば、基地局が３ｍｓ内に完全に処理を終了する場合、このようなＳｃｅｌｌのアップリンクサブフレームがスケジューリングできる。基地局が３ｍｓ内に処理を終了できない場合、このようなＳｃｅｌｌのアップリンクサブフレームはスケジューリングすることができない。
【００８５】
Ｐｃｅｌｌがアップリンク/ダウンリンク構成３を採用する場合、下記の＜表１４＞は、Ｓｃｅｌｌのアップリンクサブフレームに対応するＰＤＣＣＨとＰＨＩＣＨからＰＵＳＣＨへのタイミング関係を示す。＜表１４＞で、ダウンリンクサブフレーム１は、２個のアップリンクサブフレームでＰＵＳＣＨをスケジューリングすることが可能である。このような状況で、ＰＤＣＣＨからＰＵＳＣＨへのタイミング関係の場合、ダウンリンクサブフレーム１は、ＬＴＥのアップリンクインデックス技術を再使用して２個のアップリンクサブフレームでＰＵＳＣＨをスケジューリングするようにサポートできる。ＰＤＣＣＨからＰＵＳＣＨへのタイミング関係の場合、ダウンリンクサブフレーム１は、２個のＰＨＩＣＨリソースセットを定義して２個のアップリンクサブフレームでＰＵＳＣＨをスケジューリングするようにサポートできる。
【００８６】
【表１４】
0005969005.tif 000015
【００８７】
また、＜表１４＞で、ダウンリンクサブフレーム１のみが２個のアップリンクサブフレームをスケジューリングするようにサポートされる場合、ダウンリンクサブフレーム１の制御チャンネルコストは増加でき、ＬＴＥとＬＴＥ-Ａのアップリンク/ダウンリンク構成０の処理方法によって、サブフレーム０とサブフレーム１は、同時にアップリンクインデックスを用いて２個のアップリンクサブフレームをスケジューリングするようにサポートできる。
【００８８】
下記の＜表１５＞の例では、ＰＤＣＣＨからＰＵＳＣＨへのタイミング関係を表し、ダウンリンクサブフレーム０とダウンリンクサブフレーム１両方ともはアップリンクサブフレーム７をスケジューリングできるので、ダウンリンクサブフレーム1の制御チャンネルコストが減少される。ＰＨＩＣＨからＰＵＳＣＨへのタイミング関係の場合、＜表１４＞の構成結果が維持され、ＬＴＥとＬＴＥ-Ａでのアップリンク/ダウンリンク構成０の場合、ダウンリンクサブフレーム１の制御チャンネルコスト(特別タイムスロットＤｗＰＴＳ)を低減するために２個のＰＨＩＣＨリソースセットがダウンリンクサブフレーム０に対して割り当てられ、ＰＤＣＣＨからＰＵＳＣＨへのタイミング関係は、＜表１６＞に示すようである。
【００８９】
【表１５】
0005969005.tif 000016
【００９０】
【表１６】
0005969005.tif 000017
【００９１】
＜表１４＞〜＜表１６＞において、基地局がＰＵＳＣＨを受信する処理時間が短縮される。詳細には、Ｓｃｅｌｌがアップリンク/ダウンリンク構成１又は２を採用する場合、Ｓｃｅｌｌは、上記したケースを体験することもできる。同様に、処理時間要件を満足しないＳｃｅｌｌのアップリンクサブフレームは、アップリンク送信に使用しないように設定され、このような可能性は基地局の実現によりサポートできる。例えば、基地局が３ｍｓ内に処理を完全に終了する場合、これらＳｃｅｌｌのアップリンクサブフレームはスケジューリングされる。基地局が３ｍｓ内に処理を終了しない場合、このようなＳｃｅｌｌのアップリンクサブフレームはスケジューリングできない。
【００９２】
Ｐｃｅｌｌがアップリンク/ダウンリンク構成６を採用する場合、アップリンク/ダウンリンク構成１〜５のアップリンクサブフレームは、すべてアップリンク/ダウンリンク構成６のサブセットであるので、アップリンク/ダウンリンク構成６がＬＴＥとＬＴＥ-Ａで採用される場合に構成されたＰＤＣＣＨとＰＨＩＣＨからＰＵＳＣＨへのタイミング関係のサブセットが直接再使用できる。アップリンク/ダウンリンク構成０の場合、ダウンリンクサブフレーム５で２個のアップリンクサブフレームがスケジューリングされる必要がある。２個のアップリンクサブフレームのスケジューリングをサポートするためにＬＴＥアップリンクインデックス技術が再使用され得る。
【００９３】
下記の＜表１７＞に示すように、ダウンリンクサブフレーム５で２個のアップリンクサブフレームのスケジューリングをサポートするために、ＬＴＥアップリンクインデックス技術が再使用され、ＰＨＩＣＨからＰＵＳＣＨへのタイミング関係の場合、ダウンリンクサブフレーム５で２個のアップリンクサブフレームのスケジューリングをサポートするために２個のＰＨＩＣＨリソースセットが定義され得る。
【００９４】
【表１７】
0005969005.tif 000018
【００９５】
＜表１７＞において、２個のアップリンクサブフレームを同時にスケジューリングすることがダウンリンクサブフレーム５のみでサポートされると、これは、サブフレーム１の制御チャンネルコストを増加させることができるので、ＬＴＥとＬＴＥ-Ａのアップリンク/ダウンリンク構成０の処理方法によって、アップリンクインデックスを用いて２個のアップリンクサブフレームを同時にスケジューリングするためにサブフレーム５とサブフレーム６はサポートできる。次の＜表１８＞は、上記条件を考慮するときのＰＤＣＣＨからＰＵＳＣＨへのタイミング関係を示す。ＰＨＩＣＨからＰＵＳＣＨへのタイミング関係の場合、＜１７＞の構成結果が維持することができる。
【００９６】
【表１８】
0005969005.tif 000019
【００９７】
特定のケース下で、＜表１７＞と＜表１８＞で基地局がＰＵＳＣＨを受信する処理時間が減少する。Ｓｃｅｌｌがアップリンク/ダウンリンク構成１〜５を採用する場合、Ｓｃｅｌｌは上述した問題を体験することもできる。同様に、処理時間要件を満たせないＳｃｅｌｌのアップリンクサブフレームがアップリンク送信に使用できないように設定することができ、あるいはこのような可能性が基地局の実現によってサポートすることができる。基地局が３ｍｓ内に処理を完全に終了できる場合、このようなＳｃｅｌｌのアップリンクサブフレームはスケジューリングされ、基地局が３ｍｓ内に処理を終了できない場合には、このようなＳｃｅｌｌのアップリンクサブフレームがスケジューリングすることができない。
【００９８】
２)セルのフレームエッジが整列しないと仮定すれば、１)で言及した上記４つの構成原則に基づいて、ＰｃｅｌｌとＳｃｅｌｌのサブフレームタイミングオフセットによって、Ｓｃｅｌｌのアップリンクサブフレームに対応するＰＤＣＣＨとＰＨＩＣＨからＰＵＳＣＨへのタイミングが計算できる。しかしながら、この構成方法は非常に複雑である。
【００９９】
アップリンク/ダウンリンク構成の各タイプにおいて、Ｓｃｅｌｌがどんなアップリンク/ダウンリンク構成を採用するかを考慮せず、構成がＰｃｅｌｌで利用されると仮定すれば、ＰＤＣＣＨとＰＨＩＣＨからＰＵＳＣＨへの共通タイミング関係を構成する。
【０１００】
ここで、Ｐｃｅｌｌは、アップリンク/ダウンリンク構成０を採用すると仮定し、他のアップリンク/ダウンリンク構成のアップリンクサブフレームはすべてのアップリンク/ダウンリンク構成０のサブセットであるから、アップリンク/ダウンリンク構成０の構成結果のサブセットがその構成結果として直接に使用することができる。
【０１０１】
１)セルのフレームエッジが整列されると仮定
【０１０２】
ＰＤＣＣＨとＰＨＩＣＨからＰＵＳＣＨへのタイミング関係とＰＨＩＣＨからＰＵＳＣＨへのタイミング関係について、まず紹介する。
【０１０３】
ＰＤＣＣＨからＰＵＳＣＨへのタイミング関係の場合、＜表１９＞と＜表２０＞の例と共に、ＬＴＥとＬＴＥ-Ａでのアップリンクインデックス技術を使用して２個のアップリンクサブフレームをスケジューリングするように一部ダウンリンクサブフレームがサポートでき、Ｓｃｅｌｌが特定アップリンク/ダウンリンク構成を採用する場合、特定ダウンリンクサブフレームによりスケジューリングされる２個のアップリンクサブフレーム両方ともが存在しなければ、このダウンリンクサブフレームはＰＵＳＣＨをスケジューリングする必要がない。特定ダウンリンクサブフレームが実際に一つのアップリンクサブフレームのみをスケジューリングすると、アップリンクインデックス技術を相変らず利用することができ、そのアップリンクインデックスは、このような実際に存在するアップリンクサブフレームを表すように適切な値に設定すべきであり、あるいはＰＵＳＣＨ上でＰＤＳＣＨのＡＣＫ/ＮＡＣＫ情報を送信するために、アップリンクインデックスを利用せずにＰＤＣＣＨでこのフィールドがダウンリンク/アップリンクＤＡＩに維持され、あるいは説明され得る。
【０１０４】
＜表１９＞において、Ｐｃｅｌｌがアップリンク/ダウンリンク構成３及び６を採用する場合、２個のアップリンクサブフレームのＰＵＳＣＨがスケジューリングされることは一つのダウンリンクサブフレームである。
【表１９】
0005969005.tif 000020
【０１０５】
＜表１９＞において、２個のアップリンクサブフレームを同時にスケジューリングすることがダウンリンクサブフレームのみでサポートされる場合、このようなダウンリンクサブフレームの制御チャンネルコストは増加することができる。＜表２０＞に示すように、ＬＴＥとＬＴＥ-Ａのアップリンク/ダウンリンク構成０の構成によって、アップリンクインデックス技術を利用して同時に３個のアップリンクサブフレームをスケジューリングするために２個のダウンリンクサブフレームがサポートできる。例えば、ダウンリンクサブフレーム０とダウンリンクサブフレーム１がアップリンクサブフレーム４、アップリンクサブフレーム７、及びアップリンクサブフレーム８をスケジューリングする。
【０１０６】
【表２０】
0005969005.tif 000021
【０１０７】
＜表１９＞と＜表２０＞によって、ＰＨＩＣＨからＰＵＳＣＨへのタイミング関係は、各々下記の＜表２１＞と＜表２２＞に示すようである。
【０１０８】
【表２１】
0005969005.tif 000022
【０１０９】
【表２２】
0005969005.tif 000023
【０１１０】
＜表１９＞〜＜表２２＞において、基地局がＵＥにより送信されたＰＵＳＣＨを受信する基地局の処理時間が特定ケースで減少される。同様に、処理時間要件を満足しないＳｃｅｌｌのアップリンクサブフレームがアップリンク送信に使用することができないように設定され、あるいはこのような可能性は基地局実現によってサポートできる。例えば、基地局が３ｍｓ内に処理を完全に終了完了できる場合、このようなＳｃｅｌｌのアップリンクサブフレームがスケジューリングでき、基地局が３ｍｓ内に処理を終了できない場合には、このようなＳｃｅｌｌのアップリンクサブフレームがスケジューリングすることができない。
【０１１１】
２）セルのフレームエッジが整列しないと仮定
【０１１２】
各アップリンク/ダウンリンク構成の場合、これがＰｃｅｌｌで適用されてＳｃｅｌｌが採用したアップリンク/ダウンリンク構成とは関係がないが、２個のセルのサブフレームタイミングオフセットに依存すると仮定し、ＰＤＣＣＨ/ＰＨＩＣＨからＰＵＳＣＨへの固有で共通タイミングを構成する。詳細には、Ｓｃｅｌｌが２個のセルのサブフレームタイミングオフセットだけでなく最も多い数のアップリンクサブフレーム(すなわち、アップリンク/ダウンリンク構成０)を構成する状況により、ＰＤＣＣＨ/ＰＨＩＣＨからＰＵＳＣＨへのタイミング関係を構成し、他のアップリンク/ダウンリンク構成でタイミング関係のサブセットを適用する。
【０１１３】
＜第２の実施形態＞
【０１１４】
クロスキャリアスケジューリングの場合、ＰＤＣＣＨとＰＨＩＣＨからＰＵＳＣＨへのタイミング関係は、ＬＴＥとＬＴＥ-Ａでの構成結果を直接再使用せずに完全に再構成され、これはＨＡＲＱ処理時間を最適化することを助ける。ＳｃｅｌｌのＰＤＣＣＨとＰＨＩＣＨからＰＵＳＣＨへのタイミング関係によって、ＰＵＳＣＨからＰＨＩＣＨへのタイミング関係は、以前計算方法によって対応して計算できる。
【０１１５】
第２の実施形態では、ＰＤＣＣＨとＰＨＩＣＨからＰＵＳＣＨへのタイミング関係を構成するために、下記の２つの方法が採用可能である。
【０１１６】
まず、ＰｃｅｌｌとＳｃｅｌｌにより採用した異なるアップリンク/ダウンリンク構成の多様な組み合わせによって、Ｓｃｅｌｌのアップリンクサブフレームに対応するＰＵＳＣＨからＰＨＩＣＨへのタイミング関係だけでなくＰＤＣＣＨとＰＨＩＣＨからＰＵＳＣＨへのタイミング関係を各々構成することができる。上記したアップリンク/ダウンリンク構成の組み合わせは、各々最適化できる。ＬＴＥとＬＴＥ-Ａは、７つのタイプのＴＤＤアップリンク/ダウンリンク構成をサポートするので、各タイプのアップリンク/ダウンリンク構成の場合、一つの構成がＰｃｅｌｌに使用されると仮定すれば、他の６つのタイプのアップリンク/ダウンリンク構成に対するＰＤＣＣＨとＰＨＩＣＨからＰＵＳＣＨへのタイミング関係が対応して構成されなければならず、これは、最大に４２つのタイプのタイミング関係が構成されなければならないことを意味する。
【０１１７】
１)セルのフレームエッジが整列されると仮定
【０１１８】
Ｐｃｅｌｌがアップリンク/ダウンリンク構成１，２，４、又は５を採用する場合、＜表５＞〜＜表８＞に示すような構成結果は、ＰＤＣＣＨとＰＨＩＣＨからＰＵＳＣＨへの最適のタイミング関係である。これは、ＬＴＥとＬＴＥ-Ａでのタイミングと互換可能である。
【０１１９】
Ｐｃｅｌｌがアップリンク/ダウンリンク構成０を採用する場合、＜表９＞〜＜表１３＞は、ＰＤＣＣＨとＰＨＩＣＨからＰＵＳＣＨへの最適のタイミング関係を示す。これは、ＬＴＥとＬＴＥ-Ａでのタイミングと互換可能である。
【０１２０】
Ｐｃｅｌｌがアップリンク/ダウンリンク構成３を採用する場合、すべてのアップリンクサブフレームのＰＤＣＣＨとＰＨＩＣＨからＰＵＳＣＨへのタイミング関係を再構成することによって、ＰＤＣＣＨとＰＨＩＣＨからＰＵＳＣＨへの遅延が減少でき、一つのサブフレームで２個のアップリンクサブフレームをスケジューリングする必要がある状況を避けることができる。構成結果は、次の＜表２３＞の例に示すようである。
【０１２１】
【表２３】
0005969005.tif 000024
【０１２２】
基地局がＰＵＳＣＨを受信する処理時間を満足させるために、すなわち基地局のＰＵＳＣＨのアップリンクサブフレームの受信とＰＵＳＣＨに対応するＰＨＩＣＨのダウンリンクサブフレームの送信との間の期間が４ｍｓより大きいように保証するために、Ｓｃｅｌｌがアップリンク/ダウンリンク構成１を採用する場合、アップリンクインデックス技術は、ダウンリンクサブフレーム１が２個のアップリンクサブフレームのスケジューリングをサポートするようにダウンリンクサブフレーム１で使用でき、これは、アップリンクサブフレーム８でＰＵＳＣＨの同期ＨＡＲＱ送信がＵＥと基地局の処理時間と逆互換可能である。下記の＜表２４＞は、この場合にＰＤＣＣＨからＰＵＳＣＨへのタイミング関係を示す。
【０１２３】
【表２４】
0005969005.tif 000025
【０１２４】
それに応じて、２個のＰＨＩＣＨリソースセットは、アップリンクサブフレーム１で割り当てられ、アップリンクサブフレーム１が２個のアップリンクサブフレームのスケジューリングをサポートし、＜表２５＞は、この場合にＰＤＣＣＨからＰＵＳＣＨへのタイミングを示す。
【表２５】
0005969005.tif 000026
【０１２５】
Ｐｃｅｌｌがアップリンク/ダウンリンク構成６を採用する場合、Ｓｃｅｌｌのアップリンクサブフレームに対応するＰＤＣＣＨとＰＨＩＣＨからＰＵＳＣＨへのタイミングを再構成し、ＰＤＣＣＨとＰＨＩＣＨからＰＵＳＣＨへの遅延が減少できる。
【０１２６】
次の＜表２６＞は、ＰＤＣＣＨからＰＵＳＣＨへのタイミングを示す。Ｓｃｅｌｌがアップリンク/ダウンリンク構成０を採用する場合、利用可能なダウンリンクサブフレームの数がアップリンクサブフレームの数より小さいので、少なくとも一つのダウンリンクサブフレームは、２個のアップリンクサブフレームをスケジューリングしなければならず、これは、このようなダウンリンクサブフレームの制御チャンネルコストを増加させるので、ＬＴＥとＬＴＥ-Ａのアップリンク/ダウンリンク構成０のアップリンクインデックスによって、サブフレーム５とサブフレーム６は、同時に２個のアップリンクサブフレームをスケジューリングするためにサポートできる。
【０１２７】
【表２６】
0005969005.tif 000027
【０１２８】
それに対応して、＜表２７＞は、ＰＨＩＣＨからＰＵＳＣＨへのタイミングを示す。ここで、Ｓｃｅｌｌがアップリンク/ダウンリンク構成０を採用する場合の状況で、Ｐｃｅｌｌのダウンリンクサブフレーム５は、２個のＰＨＩＣＨリソースセットで構成される。
【表２７】
0005969005.tif 000028
【０１２９】
基地局がＰＵＳＣＨを受信する処理時間を満たすために、Ｓｃｅｌｌがアップリンク/ダウンリンク構成１を採用する場合、アップリンクインデックス技術は、ダウンリンクサブフレーム１が２個のアップリンクサブフレームのスケジューリングをサポートするようにダウンリンクサブフレーム１で使用することができ、これは、アップリンクサブフレーム７でＰＵＳＣＨの同期ＨＡＲＱ送信がＵＥと基地局の処理時間と逆互換可能なように保証する。＜表２８＞は、このような場合にＰＤＣＣＨからＰＵＳＣＨへのタイミング関係を示す。
【０１３０】
【表２８】
0005969005.tif 000029
【０１３１】
それに応じて、２個のＰＨＩＣＨリソースセットは、アップリンクサブフレーム１で割り当てられ、それによってアップリンクサブフレーム１は、２個のアップリンクサブフレームのスケジューリングをサポートする。下記の＜表２９＞は、この場合にＰＤＣＣＨからＰＵＳＣＨへのタイミングを示す。
【０１３２】
【表２９】
0005969005.tif 000030
【０１３３】
＜表２３＞〜＜表２９＞において、基地局がＰＵＳＣＨを受信する処理時間は減少する。従って、処理時間要件を合わないＳｃｅｌｌのアップリンクサブフレームがアップリンク送信に使用されないように設定でき、このような可能性は、基地局実現によりサポートできる。例えば、基地局が３ｍｓ以内で完全に処理を終了できる場合、このようなＳｃｅｌｌのアップリンクサブフレームがスケジューリングでき、基地局が３ｍｓ内に処理を終了できない場合、このようなＳｃｅｌｌのアップリンクサブフレームがスケジューリングすることができない。
【０１３４】
また、ＵＥはＰＤＣＣＨとＰＨＩＣＨを受信して、アップリンクデータを復号化する動作は相対的に複雑でなく、ＰＤＣＣＨとＰＨＩＣＨはダウンリンクサブフレームで最初の３個のＯＦＤＭMシンボルに位置する。ＵＥは、ＰＤＣＣＨとＰＨＩＣＨを復号化する前に全体ダウンリンクサブフレームが待機する必要がないので、ＵＥはＰＤＣＣＨとＰＨＩＣＨを処理するのにより長い時間を有する。他の処理方法は、基地局がＰＵＳＣＨを受信する処理時間の逆互換性を保証して、ＵＥがＰＤＣＣＨとＰＨＩＣＨより短時間に受信することができるようにする。特に、この方法は、ＰＵＳＣＨから該当ＰＨＩＣＨへの時間間隔がｋｍｓより大きいか等しく、ＰＤＣＣＨとＰＨＩＣＨからＰＵＳＣＨへの時間間隔が(ｋ-１)ｍｓより大きいか等しいように保証し、ここで、ｋはＬＴＥによって設定することができる。すなわち、ｋ＝４である。
【０１３５】
下記の＜表３０＞〜＜表３４＞において、ＳｃｅｌｌのＰＵＳＣＨからＰＨＩＣＨへの時間間隔がｋｍｓより小さい場合にだけＰＤＣＣＨとＰＨＩＣＨからＰＵＳＣＨへの時間間隔が減少し、ＬＴＥとＬＴＥ-Ａと逆互換可能な処理時間要件が他の状況で維持される。
【０１３６】
＜表３０＞と＜表３１＞は、Ｐｃｅｌｌがアップリンク/ダウンリンク構成0を採用する時ＰＤＣＣＨからＰＵＳＣＨへのタイミング関係とＰＨＩＣＨからＰＵＳＣＨへのタイミング関係を各々示す。
【０１３７】
【表３０】
0005969005.tif 000031
【０１３８】
【表３１】
0005969005.tif 000032
【０１３９】
＜表３２＞は、Ｐｃｅｌｌがアップリンク/ダウンリンク構成３を採用する場合にＰＤＣＣＨとＰＨＩＣＨからＰＵＳＣＨへのタイミング関係を示す。
【０１４０】
【表３２】
0005969005.tif 000033
【０１４１】
＜表３３＞と＜表３４＞は、Ｐｃｅｌｌがアップリンク/ダウンリンク構成６を採用する場合、ＰＤＣＣＨからＰＵＳＣＨへのタイミング関係とＰＨＩＣＨからＰＵＳＣＨへのタイミング関係を各々示す。
【０１４２】
【表３３】
0005969005.tif 000034
【０１４３】
【表３４】
0005969005.tif 000035
【０１４４】
他の実施形態において、＜表３５＞〜＜表４０＞で、ＰＤＣＣＨとＰＨＩＣＨからＰＵＳＣＨへの時間間隔は、Ｓｃｅｌｌにより採用されたすべての構成に対して 短縮される。
【０１４５】
＜表３５＞と＜表３６＞は、Ｐｃｅｌｌがアップリンク/ダウンリンク構成０を採用する場合にＰＤＣＣＨからＰＵＳＣＨへのタイミング関係とＰＨＩＣＨからＰＵＳＣＨへのタイミング関係を各々示す。
【０１４６】
【表３５】
0005969005.tif 000036
【０１４７】
【表３６】
0005969005.tif 000037
【０１４８】
＜表３７＞は、Ｐｃｅｌｌがアップリンク/ダウンリンク構成１，２，４，５を採用する場合にＰＤＣＣＨとＰＨＩＣＨからＰＵＳＣＨへのタイミング関係を示す。
【０１４９】
【表３７】
0005969005.tif 000038
【０１５０】
＜表３８＞は、Ｐｃｅｌｌがアップリンク/ダウンリンク構成３を採用する場合にＰＤＣＣＨとＰＨＩＣＨからＰＵＳＣＨへのタイミング関係を示す。
【０１５１】
【表３８】
0005969005.tif 000039
【０１５２】
＜表３９＞と＜表４０＞は、Ｐｃｅｌｌがアップリンク/ダウンリンク構成６を採用する場合にＰＤＣＣＨからＰＵＳＣＨへのタイミング関係とＰＨＩＣＨからＰＵＳＣＨへのタイミング関係を各々示す。
【０１５３】
【表３９】
0005969005.tif 000040
【０１５４】
【表４０】
0005969005.tif 000041
【０１５５】
２）セルのフレームエッジが整列されないと仮定
【０１５６】
本発明の４つの構成原則に基づき、ＰＤＣＣＨとＰＨＩＣＨからＰＵＳＣＨへのタイミング関係は、ＰｃｅｌｌとＳｃｅｌｌのアップリンク/ダウンリンク構成を組み合わせてＰｃｅｌｌとＳｃｅｌｌのサブフレームタイミングオフセットを考慮して構成することができる。しかしながら、この方法は、非常に複雑である。
【０１５７】
第２に、各アップリンク/ダウンリンク構成が、Ｓｃｅｌｌが採用したアップリンク/ダウンリンク構成とは関係ないＰｃｅｌｌで適用されると仮定し、ＰＤＣＣＨとＰＨＩＣＨからＰＵＳＣＨへの固有の共通タイミング関係を構成する。
【０１５８】
１）セルのフレームエッジが整列されると仮定
【０１５９】
Ｐｃｅｌｌがアップリンク/ダウンリンク構成０を採用する場合により、ＰＤＣＣＨとＰＨＩＣＨからＰＵＳＣＨへのタイミング関係を構成して他のアップリンク/ダウンリンク構成に構成結果のサブセットを適用する。
【０１６０】
一部のＳｃｅｌｌ構成に対して、一部のダウンリンクサブフレームは、２個のアップリンクサブフレームのスケジューリングをサポートする必要があるが、Ｓｃｅｌｌの他の構成の場合、一つのアップリンクサブフレームのみがＳｃｅｌｌに存在すると、アップリンクインデックス技術がまだ使用でき、そのアップリンクインデックスは、このようなアップリンクサブフレームのＰＵＳＣＨのスケジューリングを表すように適切な値で設定される必要がある。あるいは、Ｐｃｅｌｌのダウンリンクサブフレームでアップリンクインデックスが使用されず、このＰＤＣＣＨのフィールドは、予備され、あるいはダウンリンク割り当てインデックス(ＤＡＩ)として説明することができる。下記の＜表４１＞と＜表４２＞は、ＰＤＣＣＨからＰＵＳＣＨへのタイミング関係構成結果とＰＨＩＣＨからＰＵＳＣＨへのタイミング関係構成結果を示す。
【０１６１】
【表４１】
0005969005.tif 000042
【０１６２】
【表４２】
0005969005.tif 000043
【０１６３】
＜表４１＞と＜表４２＞において、ＰＵＳＣＨを受信する基地局の処理時間は、特定場合に減少される。それによって、処理時間要件を満足でないＳｃｅｌｌのアップリンクサブフレームがアップリンク送信に使用されることができないように設定され、あるいは基地局実現によって使用され得る。例えば、基地局が３ｍｓ内に完全に処理を終了できる場合、このようなＳｃｅｌｌのアップリンクサブフレームはスケジューリングでき、基地局が３ｍｓ内に処理を終了できない場合、このようなＳｃｅｌｌのアップリンクサブフレームはスケジューリングすることができない。
【０１６４】
また、他の処理方法は、基地局がＰＵＳＣＨを受信する処理時間の逆互換性を保証し、ＵＥがより迅速にＰＤＣＣＨとＰＨＩＣＨを受信するようにする。詳細に説明すれば、ＰＵＳＣＨから該当ＰＨＩＣＨへの時間間隔がｋｍｓより大きいか等しく、ＰＤＣＣＨとＰＨＩＣＨからＰＵＳＣＨへの時間間隔が(ｋ-１)ｍｓより大きいか等しいことを保証し、ここでｋは、ＬＴＥにより設定でき、すなわちｋ＝４である。次の＜表４３＞と＜表４４＞は、ＰＤＣＣＨからＰＵＳＣＨへのタイミング関係とＰＨＩＣＨからＰＵＳＣＨへのタイミング関係を各々示す。
【０１６５】
【表４３】
0005969005.tif 000044
【０１６６】
【表４４】
0005969005.tif 000045
【０１６７】
２)セルのフレームエッジが整列されないと仮定
【０１６８】
各ＴＤＤアップリンク/ダウンリンク構成の場合、これがＳｃｅｌｌが採用したアップリンク/ダウンリンク構成とは関係がないＰｃｅｌｌで適用されると仮定し、２個のセルのサブフレームタイミングオフセットによりＰＤＣＣＨ/ＰＨＩＣＨからＰＵＳＣＨへの固有の共通タイミングを再構成する。詳細には、Ｓｃｅｌｌが２個のセルのサブフレームタイミングオフセットだけでなく最も多い数のアップリンクサブフレーム(すなわち、アップリンク/ダウンリンク構成０)を構成する場合により、ＰＤＣＣＨ/ＰＨＩＣＨからＰＵＳＣＨへのタイミング関係を構成し、他のアップリンク/ダウンリンク構成でタイミング関係のサブセットを適用する。
【０１６９】
図７は、本発明の一と実施形態によるＵＥ内でアップリンクの同期ＨＡＲＱ送信を遂行するための構成を示す。図示のように、ＵＥ内のＨＡＲＱ送信装置は、制御部７１０、ＨＡＲＱ送信プロセス部７１２、及び受信部７１４を含んで構成される。
【０１７０】
ＨＡＲＱ送信プロセス部７１２は、少なくとも一つのＨＡＲＱ送信プロセスを含んで構成され、各ＨＡＲＱ送信プロセスは、上記した実施形態のうちいずれか一つの予め構成されたタイミング関係によるタイミング位置でＰＵＳＣＨを介してアップリンクデータを送信又は再送信する。受信部７１４は、タイミング関係によるタイミング位置でＰＤＣＣＨ及び/又はＰＨＩＣＨを通じてＰＵＳＣＨスケジューリングと制御情報及び/又はＨＡＲＱ指示情報を受信して制御部７１０に提供する。
【０１７１】
制御部７１０は、基地局の制御下にＵＥがＣＡモードで同一に構成し、ＰＤＣＣＨとＰＨＩＣＨからＰＵＳＣＨへのタイミング関係、ＰＵＳＣＨからＰＨＩＣＨへのタイミング関係、及びＰＨＩＣＨからＰＵＳＣＨへのタイミング関係のうち少なくとも一つにより、ＰＤＣＣＨ、ＰＨＩＣＨ、及びＰＵＳＣＨの送信及び再送信のタイミング位置を決定し、ＨＡＲＱ送信プロセス部７１２及び受信部７１４のタイミング位置を制御する。
【０１７２】
図８は、本発明の一実施形態による基地局内でアップリンクのＨＡＲＱ送信をサポートするための構成を示す。図示のように、基地局内のＨＡＲＱ受信サポート装置は、制御部８１０、ＨＡＲＱ受信プロセス部８１２、及び送信部８１４を含む。
【０１７３】
ＨＡＲＱ受信プロセス部８１２は、ＵＥ内の少なくとも一つのＨＡＲＱ送信プロセスと対応する少なくとも一つのＨＡＲＱ受信プロセスを含み、各ＨＡＲＱ受信プロセスは、上記した実施形態のうち一つのタイミング関係によるタイミング位置でＰＵＳＣＨを介してアップリンク送信又は再送信データを受信する。送信部８１４は、予め構成されたタイミング関係によるタイミング位置でＰＤＣＣＨ及び/又はＰＨＩＣＨを介してＰＵＳＣＨスケジューリングと制御情報及び/又はＨＡＲＱ指示情報を送信する。
【０１７４】
制御部８１０は、ＵＥがＣＡモードで動作するように構成され、ＰＤＣＣＨとＰＨＩＣＨからＰＵＳＣＨへのタイミング関係、ＰＵＳＣＨからＰＨＩＣＨへのタイミング関係、及びＰＨＩＣＨからＰＵＳＣＨへのタイミング関係のうち少なくとも一つにより、ＰＤＣＣＨ、ＰＨＩＣＨ、及びＰＵＳＣＨの送信及び再送信のタイミング位置を決定し、ＨＡＲＱ受信プロセス部８１２及び送信部８１４のタイミング位置を制御する。
【０１７５】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【０１７６】
７１０  ＨＡＲＱ  制御部
７１２  送信プロセス部
７１４  受信部
８１０  ＨＡＲＱ  制御部
８１２  受信プロセス部
８１４  送信部
【図１】
0005969005.tif 000046
【図２】
0005969005.tif 000047
【図３】
0005969005.tif 000048
【図５】
0005969005.tif 000049
【図６】
0005969005.tif 000050
【図７】
0005969005.tif 000051
【図８】
0005969005.tif 000052
【図４】
0005969005.tif 000053